(57)【要約】  本開示は、対象者の健康診断のための機器に関する。本機器は、病気や生理的異常を示す様々な生理学的パラメータを、簡単に自己検査できるよう構成されている。そのような生理学的パラメータの例には、発熱を示す体温、耳の感染を示す耳の病変、心拍、血中酸素濃度が含まれる。本開示の機器は独立型であってもよいが、本開示の実施形態によれば、モバイル通信機器、特にスマートフォン、との関連付けおよび動作のために構成される。【選択図】図１Ａ
2020524564.tif 000002
【特許請求の範囲】
【請求項１】
対象者の健康診断のための機器であって、
一体型センサを具え、医療関連の生理学的データを取得するための光学アセンブリに関連し、または光学アセンブリを具える本体であって、取得したデータを送信するための１またはそれ以上の通信モジュールを収容する本体と、
モバイル通信機器への物理的な取り付けのために構成された取付配置と、
を具えており、
前記センサは、生理学的データを記録するよう構成された温度センサおよび音響センサを具えることを特徴とする機器。
【請求項２】
請求項１に記載の機器において、前記取付配置が、前記モバイル機器のフレームの対向する部分をしっかりと保持するよう構成された少なくとも２つの把持部材を具えることを特徴とする機器。
【請求項３】
請求項２に記載の機器において、前記把持部材のうちの少なくとも１つが、前記本体から延びるアームであって、伸長位置と後退位置との間で摺動可能で前記後退位置に付勢されるアームの端部にあることを特徴とする機器。
【請求項４】
請求項３に記載の機器において、前記把持部材のうちの１つが、前記本体の表面上の当接部によって構成され、前記温度センサが、前記当接部内に収容されていることを特徴とする機器。
【請求項５】
請求項１〜４のいずれか一項に記載の機器において、前記光学アセンブリが、耳の検査のための使い捨ての中空医療部材に結合するよう構成されていることを特徴とする機器。
【請求項６】
請求項１〜５のいずれか一項に記載の機器において、前記光学アセンブリが、前記本体に対して移動可能な部分に取り付けられていることを特徴とする機器。
【請求項７】
請求項６に記載の機器において、前記移動可能な部分の動きが、前記モバイル機器のカメラ上に前記光学アセンブリを合わせるよう構成されていることを特徴とする機器。
【請求項８】
請求項６又は７に記載の機器において、前記移動可能な部分が、前記本体の側縁から突出していることを特徴とする機器。
【請求項９】
請求項６〜８のいずれか一項に記載の機器において、前記移動可能な部分が、前記モバイル機器の突出するカメラのレンズを収容するよう構成されたレンズ凹部を有することを特徴とする機器。
【請求項１０】
請求項１〜９のいずれか一項に記載の機器において、前記光学アセンブリが、標的組織を照射するよう構成された光源を具えることを特徴とする機器。
【請求項１１】
請求項１〜１０のいずれか一項に記載の機器において、前記本体が、対象者の額と物理的に係合するための略平面の額係合面を具えており、前記部分が第１の平面を規定し、前記温度センサが、前記第１の平面から距離を置いて配置されその視野の中心に前記第１の平面に垂直な線を規定する赤外線センサであることを特徴とする機器。
【請求項１２】
請求項１〜１１のいずれか一項に記載の機器において、パルスオキシメータを具えることを特徴とする機器。
【請求項１３】
請求項１２に記載の機器において、対象者の指先を受容するよう構成された指先受容凹部を具えており、前記パルスオキシメータが、前記凹部の底に配置されていることを特徴とする機器。
【請求項１４】
対象者の健康診断のための機器であって、
医療関連の生理学的データを取得するための一体型センサを具える本体であって、取得したデータを送信するための１またはそれ以上の通信モジュールを収容する本体と、
対象者の額と物理的に係合するための略平面の額係合面であって、前記部分が第１の平面を規定する額係合面と、
を具え、
前記センサが、生理学的データを記録するよう構成された温度センサおよび音響センサを具えており、
赤外線センサが、前記第１の平面から距離を置いて配置され、その視野の中心に前記第１の平面に垂直な線を規定することを特徴とする機器。
【請求項１５】
請求項１４に記載の機器において、前記音響センサが、前記額係合面の一部であることを特徴とする機器。
【請求項１６】
請求項１４又は１５に記載の機器において、前記音響センサが聴診器であることを特徴とする機器。
【請求項１７】
請求項１４〜１６のいずれか一項に記載の機器において、前記機器が、モバイル通信機器への物理的な取り付けのために構成された取付配置を具えることを特徴とする機器。
【請求項１８】
請求項１７に記載の機器において、前記取付配置が、前記モバイル機器のフレームの対向する部分をしっかりと保持するよう構成された少なくとも２つの把持部材を具えることを特徴とする機器。
【請求項１９】
請求項１８に記載の機器において、前記把持部材のうちの少なくとも１つが、前記本体から延びるアームであって、伸長位置と後退位置との間で摺動可能で前記後退位置に付勢されるアームの端部にあることを特徴とする機器。
【請求項２０】
請求項１８又は１９に記載の機器において、前記把持部材のうちの１つが、前記本体の表面上の当接部によって構成され、前記赤外線センサが、前記当接部内に収容されていることを特徴とする機器。
【請求項２１】
請求項１４〜２０のいずれか一項に記載の機器において、パルスオキシメータを具えることを特徴とする機器。
【請求項２２】
請求項２１に記載の機器において、対象者の指先を受容するよう構成された指先受容凹部を具えており、前記パルスオキシメータが、前記凹部の底に配置されていることを特徴とする機器。
【請求項２３】
対象者の健康診断のための機器であって、
医療関連の生理学的データを取得するよう構成された光学アセンブリと、
モバイル通信機器に前記機器を固定するための取付配置と、
前記モバイル通信機器のカメラに前記光学アセンブリを関連させるように構成された配置と、
を具えることを特徴とする機器。
【請求項２４】
請求項２３に記載の機器において、前記取付配置が、前記モバイル通信機器のフレームの対向する部分をしっかりと保持するよう構成された少なくとも２つの把持部材を具えることを特徴とする機器。
【請求項２５】
請求項２４に記載の機器において、前記把持部材のうちの少なくとも１つが、前記本体から延びるアームであって、伸長位置と後退位置との間で摺動可能で前記後退位置に付勢されるアームの端部にあることを特徴とする機器。
【請求項２６】
請求項２５に記載の機器において、前記把持部材のうちの１つが、前記本体の表面上の当接部によって構成され、温度センサが前記当接部内に収容されていることを特徴とする機器。
【請求項２７】
請求項２３〜２６のいずれか一項に記載の機器において、前記配置が、前記モバイル通信機器によって規定される平面に平行な平面内で前記光学アセンブリを変位させて、前記カメラと位置合わせするための機構を具えることを特徴とする機器。
【請求項２８】
請求項２３〜２７のいずれか一項に記載の機器において、前記光学アセンブリが、前記モバイル機器の突出するカメラのレンズを収容するよう構成されたレンズ凹部を有することを特徴とする機器。
【請求項２９】
請求項２３〜２８のいずれか一項に記載の機器において、前記機器が本体を具えており、前記光学アセンブリが、前記本体に対して移動可能な部分に取り付けられていることを特徴とする機器。
【請求項３０】
請求項２３〜２９のいずれか一項に記載の機器において、医療関連の生理学的データを取得するための一体型センサを具える本体であって、取得したデータを送信するための１またはそれ以上の通信モジュールを収容するための本体を具えることを特徴とする機器。
【請求項３１】
請求項２３〜３０のいずれか一項に記載の機器において、前記光学アセンブリが、使い捨ての中空医療部材に結合するよう構成されていることを特徴とする機器。
【請求項３２】
請求項３１に記載の機器において、前記使い捨ての中空医療部材が耳の検査に適していることを特徴とする機器。
【請求項３３】
請求項２３〜３２のいずれか一項に記載の機器において、前記光学アセンブリが、標的組織を照射するよう構成された光源を具えることを特徴とする機器。
【発明の詳細な説明】
【技術分野】
【０００１】
本開示は、健康診断で使用するための機器、特に在宅健康診断のための機器に関する。
【背景技術】
【０００２】
現在開示されている発明の背景として関連すると考えられる参考文献を以下に示す。
−ＷＯ２０１３／１５６９９９
−ＷＯ２００９／０９４１３２
−ＷＯ２００４／０５３６３８
【０００３】
本明細書における上記の参考文献の確認事項は、これらが現在開示されている発明の特許性に何らかの形で関連していることを意味するものとして推論されるべきではない。
【０００４】
過去には、病状および診察の診断は専ら診療所または臨床検査室で行われていたが、近年、自宅で行われる検査に対する医療行為への依存度が高まっている。このような検査を行うには、対象者に適切で使いやすい機器を提供する必要がある。モバイル機器に結合された家庭用の健康診断システムは、国際公開第２０１３／１５６９９９号および国際公開第２００９／０９４１３２号に開示されている。
【発明の概要】
【０００５】
本開示は、対象者の健康診断のための機器に関する。この機器は、病気や生理的異常を示すさまざまな生理学的パラメータを簡単に自己検査できるよう構成されている。そのような生理学的パラメータの例には、発熱を示す体温、耳の感染を示す耳の病変、心拍、血中酸素濃度が含まれる。本開示の機器は、独立型の機器であるが、本開示の実施形態によれば、モバイル通信機器、特にスマートフォンとの関連付けおよび動作のために構成され得る。そして、モバイル通信機器は、生理学的パラメータの処理、データへの変換、およびそのようなデータの介護者、医療センターまたはデータの保存場所への送信のためだけでなく、医療機器のインタフェースとしても機能し得る。
【０００６】
本開示の一態様は、医療データを取得するための一体型のセンサおよび光学アセンブリを有する本体を具える機器に関する。本体には、別の機器、データ保存場所等に取得したデータを例えば無線通信によって送信できる１又はそれ以上の通信モジュールが格納されている。
【０００７】
一実施形態によれば、機器には、モバイル通信機器への物理的な取り付けのために構成された取付配置が提供される。センサは、温度センサ（赤外線ベースのセンサなど）と音響センサとを具え、前者は体表面の温度を記録し、後者は特に心臓、肺、消化器システムの音響症状に関する聴診に役立つ。音響センサは、体表面に対して配置されたときに心臓に関連するデータを記録できる聴診器である。
【０００８】
一実施形態では、取付配置は、モバイル機器のフレームの部分（典型的には、しかし排他的ではなく対向する部分に）をしっかりと保持またはこれ係合し、それによって取り外し可能にモバイル通信機器にしっかりと取り付けられるよう構成された少なくとも２つの把持部材を具える。
【０００９】
一実施形態によれば、把持部材の少なくとも１つは、本体から延びるアームの端部に形成され、伸長および後退位置にスライド可能に延在し、後者に向けて付勢される。少なくとも１つの他の把持部材は、通常、本体と一体であり（適切に構成された当接部として形成されてもよい）、本体に対するアームの付勢により、しっかりとした取付を提供する。他の実施形態では、双方の把持部材は、そのような付勢されたアームの端部に形成される。一実施形態によれば、温度センサは、当接部内に収容され、上記本体の表面に隣接する。例示的な一実施形態により、この当接部は、一体型の固定把持部材としても機能する（移動通信機器へのしっかりとした取り付けのために上記アーム上の把持部材と一緒に機能する）。
【００１０】
一実施形態によれば、機器の本体は、対象者の額と物理的に係合するための略平面の額係合面を具える。この部分は第１の平面を規定し、上記温度センサは通常、上記第１の平面から距離を置いて配置される赤外線センサであり、その視野の中心は上記第１の平面に垂直な線を規定する。この距離は、額のセンサが「見る」表面積が、十分に信頼性が高く、再現性があり、正確な位置決めに依存しないことを確実にするために選択される。
【００１１】
機器の光学アセンブリは、検査対象の組織表面の光学画像の取得を可能にすることにより、体表面または体腔（たとえば、耳、のど、または鼻）の測定を可能にするよう構成されている。また、光学アセンブリは、光学アセンブリの外部ハウジングを包む使い捨て部材に結合するよう構成され、外耳道（耳鏡測定）、咽喉などの繰り返しの清潔な又は滅菌検査を可能にする。この部材は、外耳道に安全に挿入できるよう構成されているか、又は、使い捨ての舌圧子として構成されている使い捨ての中空医療部材である。光学アセンブリは、通常、画像センサと標的組織の間に光軸を規定する（センサから標的組織への方向は、本明細書では「前方方向」と称され、反対方向は「後方方向」と称され、後方方向では画像が組織からセンサに伝播する）。
【００１２】
また、光学アセンブリは、検査される組織に前方方向に照明光を伝達するための照明手段を備えてもよい。一方の照明光と他方の取得画像は、同じ光軸に沿って反対方向に、それぞれ前方および後方に伝播する。したがって、光学アセンブリは、一方では光軸から外れた位置にある照明源からの光を反射する（通常、光軸に垂直な方向に光を放射する）ことを可能にし、取得した画像が画像センサに伝播できるようにするビームスプリッタを含んでいる。
【００１３】
また、光学アセンブリは、光軸に沿って配置された１つまたはそれ以上のレンズを有する。
【００１４】
医療機器がモバイル通信機器と連携して動作する典型的な実施形態では、画像取得に使用される光学センサ／カメラは、通常、モバイル通信機器のそれである。様々なモバイル通信機器のカメラは、様々なレンズやセンサを含む基本的な光学パラメータが互いに異なる。したがって、光学アセンブリは、様々なモバイル通信機器のカメラ間の許容差を考慮して設計されており、微細な光学パラメータとセンサの深さに関係なく、センサに適切な焦点と画質を提供する。
【００１５】
光学アセンブリは、本体の一部として形成されてもよく、又は代替的に、例えば、本体に対して摺動可能な可動部に形成され得る。これは、モバイル通信機器のカメラと適切に位置合わせするために、光学アセンブリの位置を微調整することを目的とする。この部分は、典型的には、基体の横方向縁部から横方向に突出している。
【００１６】
一実施形態に係る機器は、典型的には本体の表面に形成され、対象者の指先を収容するよう構成された指先収容凹部を有するパルスオキシメータを具え、パルスオキシメータは上記凹部の底部に配置される。
【００１７】
本開示の別の態様は、医療関連の生理学的データを取得し、例えば無線通信を介して別の機器又はデータの保存場所に取得データを送信するための１又はそれ以上の通信モジュールを収容するための一体型センサを備えた本体を有する対象者の医療検査用機器である。センサは、上記のように、赤外線センサ及び音響センサ、例えば、聴診器を具える。本体は一般に、第１の平面を規定する対象者の額のための平らな額係合部を備える。赤外線センサは、上記第１の平面とその視野の中心からの距離が、上記第１の平面に垂直な線を規定するように、本体内に配置される。このように、表面が額に対して配置されると、額の一部にある間に、センサは赤外線放射を検出でき、温度関連データに変換できる。
【００１８】
典型的な実施形態によれば、上記表面が意図された組織表面、例えば、脈拍関連データを取得するために胸に対して配置されると、聴診データを取得するために、音響センサ（例えば聴診器）が額係合面に埋め込まれる。
【００１９】
本開示のさらなる態様は、医療関連の生理学的データの取得に関連するよう構成された光学アセンブリを含む、対象者の健診のための機器、上記機器をモバイル通信機器に固定するための取付配置、モバイル通信機器のカメラに光学アセンブリを関連するよう構成された機器に関する。光学アセンブリは、体表面または（例えば、耳、喉、または鼻の）体腔の測定を可能にするよう構成される。
【００２０】
光学アセンブリは、使い捨ての中空医療部材、例えば耳検査用の医療部材に結合するよう構成され、また、標的組織を照らすよう構成された光源を備える。この態様のいくつかの実施形態によれば、取付配置は、上記のいずれかである。さらに、この機器は、医療関連の生理学的データを取得し、取得したデータを（例えば、無線通信を介して）送信する１つ（通常１つ、ただしこれに限定されない）又はそれ以上の通信モジュールを収容するための一体型センサを備えた本体を備える。センサは、上記のセンサのいずれかでよい。
【００２１】
モバイル通信機器に上記機器を固定するための取付配置は、上記の種類のモバイル機器のフレームの部分をしっかり保持するように構成され少なくとも２つの把持部材を備える。モバイル通信機器のカメラに光学アセンブリを関連付けるよう構成された配置は、いくつかの実施形態により、モバイル通信機器によって規定される平面に平行な平面内で光学アセンブリを変位させてカメラと位置合わせするための機構を備える。二次元での変位および位置合わせを可能にすることに加えて、上記配置は、特定の実施形態により、三次元での変位の能力、すなわち、モバイル通信機器の平面に垂直な軸に沿った変位のための機構も含み得る。光学アセンブリは、特定の実施形態により、機器の本体に対して移動可能な部分に取り付けられ、２Ｄおよび時として３Ｄ変位を可能にする。
【００２２】
いくつかの実施形態では、可動部は、モバイル機器の突出するカメラレンズを収容するよう構成されたレンズ凹部を有する。
【００２３】
センサによって選択された生理学的データの分析は、モバイル通信機器でローカルに実行される。この目的のために、モバイル通信機器は、取得したデータを受け取ってこのデータを分析するための専用ソフトウェアまたはハードウェアユーティリティを備える。また分析は、リモートサーバでリモートで実行したり、又は、クラウドコンピューティングを使用して実行することができる。取得された生データまたは（モバイル通信機器での最初の処理、たとえば圧縮後に）最初に処理されたデータは、その後、分析のために「クラウド」に送信される。分析の結果は、モバイル通信機器または医療センターまたは介護者に返される。
【００２４】
また、本開示の医療機器は、例えば、コンピュータ化された音声コマンドを通じてその医療検査をガイドすることができる音声入力／出力デバイスなど、他の機器と通信することができる。また、本開示の医療機器は、モバイル通信機器を含むがこれに限定されない通信機器によって起動することが可能である。
【００２５】
以下に、本開示の機器のいくつかの非限定的な例示的実施形態を規定し、番号付きの項目の形式で規定する。
１．  対象者の健康診断のための機器であって、一体型センサを具え、医療関連の生理学的データを取得するための光学アセンブリに関連し、または光学アセンブリを具える本体であって、取得したデータを（例えば無線通信を通して）送信するための１またはそれ以上の通信モジュールを収容する本体と、モバイル通信機器への物理的な取り付けのために構成された取付配置と、を具えており、前記センサは、生理学的データを記録するよう構成された温度センサおよび音響センサを具える。
２．  １．に記載の機器において、前記取付配置が、前記モバイル機器のフレームの対向する部分をしっかりと保持するよう構成された少なくとも２つの把持部材を具える。
３．  ２．に記載の機器において、前記把持部材のうちの少なくとも１つが、前記本体から延びるアームであって、伸長位置と後退位置との間で摺動可能で前記後退位置に付勢されるアームの端部にある。
４．  ３．に記載の機器において、前記把持部材のうちの１つが、前記本体の表面上の当接部によって構成され、前記温度センサが、前記当接部内に収容されている。
５．  １．〜４．のいずれかに記載の機器において、前記光学アセンブリが、耳の検査のための使い捨ての中空医療部材に結合するよう構成されている。
６．  １．〜５．のいずれかに記載の機器において、前記光学アセンブリが、前記本体に対して移動可能な部分に取り付けられている。
７．  ６．に記載の機器において、前記移動可能な部分の動きが、前記モバイル機器のカメラ上に前記光学アセンブリを合わせるよう構成されている。
８．  ６．又は７．に記載の機器において、前記移動可能な部分が、前記本体の側縁から突出している。
９．  ６．〜８．のいずれかに記載の機器において、前記移動可能な部分が、前記モバイル機器の突出するカメラのレンズを収容するよう構成されたレンズ凹部を有する。
１０．  １．〜９．のいずれかに記載の機器において、前記光学アセンブリが、標的組織を照射するよう構成された光源を具える。
１１．  １．〜１０．のいずれかに記載の機器において、前記本体が、対象者の額と物理的に係合するための略平面の額係合面を具えており、前記部分が第１の平面を規定し、前記温度センサが、前記第１の平面から距離を置いて配置されその視野の中心に前記第１の平面に垂直な線を規定する赤外線センサである。
１２．  １．〜１１．のいずれかに記載の機器においてパルスオキシメータを具える。
１３．  １２．に記載の機器において、対象者の指先を受容するよう構成された指先受容凹部を具えており、前記パルスオキシメータが、前記凹部の底に配置されている。
１４．  対象者の健康診断のための機器であって、医療関連の生理学的データを取得するための一体型センサを具える本体であって、取得したデータを（例えば無線通信を通して）送信するための１またはそれ以上の通信モジュールを収容する本体と、対象者の額と物理的に係合するための略平面の額係合面であって、前記部分が第１の平面を規定する額係合面と、を具え、前記センサが、生理学的データを記録するよう構成された温度センサおよび音響センサを具えており、赤外線センサが、前記第１の平面から距離を置いて配置され、その視野の中心に前記第１の平面に垂直な線を規定する。
１５．  １４．に記載の機器において、前記音響センサが前記額係合面の一部である。
１６．  １４．または１５．に記載の機器において、前記音響センサが聴診器である。
１７．  １４．〜１６．のいずれかに記載の機器において、前記機器が、モバイル通信機器（例えばスマートフォン）への物理的な取り付けのために構成された取付配置を具える。
１８．  １７．に記載の機器において、前記取付配置が、前記モバイル機器のフレームの対向する部分をしっかりと保持するよう構成された少なくとも２つの把持部材を具える。
１９．  １８．に記載の機器において、前記把持部材のうちの少なくとも１つが、前記本体から延びるアームであって、伸長位置と後退位置との間で摺動可能で前記後退位置に付勢されるアームの端部にある。
２０．  １８．または１９．に記載の機器において、前記把持部材のうちの１つが、前記本体の表面上の当接部によって構成され、前記赤外線センサが、前記当接部内に収容されている。
２１．  １４．〜２０．のいずれかに記載の機器において、前記本体が一体型の光学アセンブリに関連する。
２２．  ２１．に記載の機器において、前記光学アッセンブリが、耳の検査のための使い捨ての中空医療部材に結合するよう構成されている。
２３．  ２１．または２２．に記載の機器において、前記光学アセンブリが、前記本体に対して移動可能な部分に取り付けられている。
２４．  ２３．に記載の機器において、前記移動可能な部分の動きが、前記モバイル機器のカメラ上に前記光学アセンブリを合わせるよう構成されている。
２５．  ２３．または２４．に記載の機器において、前記移動可能な部分が、基体の横方向縁部から突出している。
２６．  ２３．〜２５．のいずれかに記載の機器において、前記移動可能な部分が前記モバイル機器の突出するカメラのレンズを収容するよう構成されたレンズ凹部を有する。
２７．  １４．〜２６．のいずれかに記載の機器において、パルスオキシメータを具える。
２８．  ２７．に記載の機器において、対象者の指先を受容するよう構成された指先受容凹部を具えており、前記パルスオキシメータが、前記凹部の底に配置されている。
２９．  対象者の健康診断のための機器であって、医療関連の生理学的データを取得するよう構成された光学アセンブリと、モバイル通信機器に前記機器を固定するための取付配置と、前記モバイル通信機器のカメラに前記光学アセンブリを関連させるように構成された配置と、を具える。
３０．  ２９．に記載の機器において、前記取付配置が、前記モバイル通信機器のフレームの対向する部分をしっかりと保持するよう構成された少なくとも２つの把持部材を具える。
３１．  ３０．に記載の機器において、前記把持部材のうちの少なくとも１つが、前記本体から延びるアームであって、伸長位置と後退位置との間で摺動可能で前記後退位置に付勢されるアームの端部にある。
３２．  ３１．に記載の機器において、前記把持部材のうちの１つが、前記本体の表面上の当接部によって構成され、温度センサが前記当接部内に収容されている。
３３．  ２９．〜３２．のいずれかに記載の機器において、前記配置が、前記モバイル通信機器によって規定される平面に平行な平面内で前記光学アセンブリを変位させて、前記カメラと位置合わせするための機構を具える。
３４．  ２９．〜３３．のいずれかに記載の機器において、前記光学アセンブリが前記モバイル機器の突出するカメラのレンズを収容するよう構成されたレンズ凹部を有する。
３５．  ２９．〜３４．のいずれかに記載の機器において、前記機器が本体を具えており、前記光学アセンブリが、前記本体に対して移動可能な部分に取り付けられている。
３６．  ２９．〜３５．のいずれかに記載の機器において、医療関連の生理学的データを取得するための一体型センサを具える本体であって、取得したデータを（例えば無線通信を通して）送信するための１またはそれ以上の通信モジュールを収容するための本体を具える。
３７．  ２９．〜３６．のいずれかに記載の機器において、前記光学アセンブリが、使い捨ての中空医療部材に結合するよう構成されている。
３８．  ３７．に記載の機器において、前記使い捨ての中空医療部材が耳の検査に適している。
３９．  ２９．〜３８．のいずれかに記載の機器において、前記光学アセンブリが、標的組織を照射するよう構成された光源を具える。
３９．  １．〜２８．のいずれかで特定された１つまたは複数の限定を有する、２９．〜から３９．のいずれかに記載の機器。
【図面の簡単な説明】
【００２６】
本明細書に開示される発明をよりよく理解し、実際にそれがどのように実行され得るかを例示するために、添付の図面を参照して、単に非限定的な例として、実施形態をここで説明する。
【図１】図１Ａ−１Ｂは、本開示の一実施形態による機器の等角図であり、伸長可能なアームがそれぞれ伸長位置および後退位置にある機器を示している。
【図２】図２Ａ−２Ｂは、それぞれ、光学アセンブリから分離され、光学アセンブリに結合された、耳の検査のための使い捨て部材を備えた図１の機器を示す。
【図３】図３Ａ−３Ｃは、斜視図であり、図３Ｄは、例えばスマートフォンといった、モバイル通信機器に結合された図１及び２の機器の側面図である。
【図４】図４Ａ−４Ｂは、使い捨ての耳検査部材が取り付けられた光学アセンブリの垂直変位の概略図である。
【図５】図５は、光学アセンブリの光学部材の概略図である。
【図６】図６は、イメージセンサ、例えばカメラと標的組織との間の光の光路の概略図である。
【図７】図７は、本開示の機器とモバイル通信デバイスとの間のデータフローを表すブロック図である。
【図８】図８は、本開示の機器を有するシステムの概略ブロック図である。
【発明を実施するための形態】
【００２７】
以下の説明において、本開示は、画像取得のためにスマートフォンのカメラを利用して、スマートフォンに取り付けるための機器の特定の実施形態によって例示される。理解されるように、これは、本開示のより広い文脈の一例にすぎない。
【００２８】
本明細書の文章では、垂直、横、上、下、後面、前面といった用語を使用して、添付の図面に見られる表示と一致させている。これらの用語は、便宜上の目的でのみ使用されており、必ずしも機能的に重要ではないことに留意されたい。
【００２９】
最初に図１Ａ−１Ｂを参照すると、光学アセンブリ１２に関連する（以下に説明する）いくつかの一体型センサを有する概して細長い本体１０を示す。光学アセンブリ１２は細長いものであり、図５および図６に概略的に示し、以下でさらに説明するように、軸に沿って配置されたいくつかのレンズを備えた光軸を規定している。センサと光学アセンブリは、医療関連の生理学的データを取得するよう構成されている。使い捨て部材１５は、図２Ａ−２Ｂに最もよく見られるように、光学アセンブリと結合されるよう構成される。使い捨て部材は、通常は清潔で、通常は１回の使用を目的としている。本体は、センサに結合され、無線（例えば、ブルートゥース（登録商標））通信を介して取得したデータをモバイル通信機器に送信するよう構成された少なくとも１つの通信モジュール（図示せず）を収容する。
【００３０】
機器は、図３Ａ−３Ｂに示す方法で、モバイル通信機器２０、例えばスマートフォンへの物理的な取り付けのために構成された取付配置を有している。取付配置は、図３Ａ−３Ｄに示すように、モバイル機器のフレームの対向する部分をしっかり保持するよう構成された２つの把持部材２２、２４を有している。これらの把持部材の少なくとも一方は、本体から延びるアーム２６の端部にあり、伸長位置と後退位置との間でスライド可能であり、後退位置に付勢され、これにより、通信機器のフレームへの緊密な取り付けを保証する。他方の把持部材２４は、本体の後面２８から突出する当接部２６の一部である。この当接部（図３Ａに最もよく示す）には、本例では（後述するように）赤外線センサ３０である温度センサも収納されている。
【００３１】
機器の上端には、対象者の額と物理的に係合する額係合面３２が形成され、図３Ｄに破線３４で表される第１の平面を規定する。赤外線センサ３０は、上記第１の平面に垂直な方向の矢印３８によって表される中心を備える視野を有する。このような方法では、額係合面が額に接すると、センサは額からの赤外線を感知し、温度測定するよう処理することができる。
【００３２】
また、本実施形態の機器における額係合面は、額と面との係合時に聴診データを記録するための可撓性膜およびそれに関連する機械的センサ（図示せず）を備えた音響センサ４０（聴診器の形態）を有する。したがって、そのように係合すると、脈拍と温度のデータを同時に記録できる。
【００３３】
また、機器は、図４Ａ−４Ｂに示すような方法で垂直方向の変位を可能にするよう構成された横方向に突出した部分内に収容された光学アセンブリ１２を有している。この垂直スライド変位により、例えばモバイル通信機器のカメラ４１といったイメージセンサに対する光学アセンブリの位置を微調整して、光学アセンブリをカメラと位置合わせすることができる。様々なモバイル機器におけるカメラの位置は互いに異なり、この方法で医療機器を多種多様なモバイル通信機器で使用できることに留意されたい。
【００３４】
本体の前面４２は、対象者の指先を受容するよう構成された凹部４４を有しており、凹部の中心内に位置するのは、指が凹部内に配置されると酸素飽和度を測定できるパルスオキシメータ４６である。また、この機器は、その前面の底部にオン／オフスイッチ４８を有している。使用中、異なる生理学的データの測定は、通常、オン／オフスイッチ４８を介して機器に電力を供給すると作動するモバイル通信機器上で実行されるアプリケーションによって誘導されるシーケンスで行われる。機器上のソフトウェアアプリケーションは、検査シーケンスを通してユーザを案内し、様々なセンサをアクティブにしてそれぞれのデータ取得の準備をするよう無線通信で構成することもできる。代替的に、ソフトウェアアプリケーションは、検査シーケンスを通してユーザを案内してもよいが、異なる検査の開始はボタン５０の操作を介して行われる。
【００３５】
ここで、本例では４つのレンズ群５２、５４、５６、５８を含む光学アセンブリ１２の概略図を示す図５および６を参照すると、そのうちの２つ（５２および５８）は２つのレンズから成り、他の２つのレンズはそれぞれ１つのレンズから成る。光学アセンブリは、第１の円筒形のベース５９と第２の略円錐台形の中空部品６１を含む２つの一体部品によって形成される。これらのレンズはすべて光学配置の一部であり、機器のカメラ内でイメージセンサ６４に向けて矢印６２の後方に伝播する取得した組織画像６０の光路を規定する。
【００３６】
標的組織、例えば外耳道の表面の照明用に、矢印７２で表されるようにビームスプリッタ７４によって光路の順方向に反射される光路に垂直な方向に光を送信する光源７０が設けられている。
【００３７】
ここで、機器とモバイル通信機器との間のデータフローを表す概略的ブロック図を示す図７を参照する。機器のセンサは、機器内のプロセッサで処理される信号を取得する。次に、処理されたデータは、通信モジュールによってモバイル通信機器に送信され、そこでソフトウェアアプリケーションによって処理される。光学配置は、取得された組織画像がモバイル通信機器のカメラに伝播する光路を規定する。
【００３８】
図８は、本開示の機器を含むシステムの概略的ブロック図である。ブロック１００として特定される機器は、ブルートゥース（登録商標）が確立したリンク１０８を介してモバイル通信機器１０６（例えばスマートフォン）と通信するためのプロセッサ１０２、ブルートゥース（登録商標）トランシーバ１０４を含む。機器は、モバイル通信機器１０６のカメラ１２０との機械的インタフェース１１８を有する耳鏡ユニット１１６とともに、パルスオキシメータ１１０、温度計１１２および聴診器１１４を含む３つの検知モジュールを有する。医療機器は、図１〜６で上述したものと同様である。
【００３９】
モバイル通信機器上で動作するのは、インターネット接続１２４を介してクラウドサーバ１２６にリンクされる医療健康診断（ＭＨＤ）ソフトウェアユーティリティ１２２であり、これは、音声入力／出力を受信および／または発行することができるＶｏｉｃｅ−ｏｖｅｒ−ＩＰ（ＶｏＩＰ）インターフェースモジュール１３０を介して音声操作することができる健康分析ソフトウェア１２８を実行する。クラウドサーバ１２６は、医療センターまたは健康提供者コンピュータ１３２に分析された健康データを送信するよう構成されており、医療指示または医療センターもしくは健康提供者からモバイル通信機器１０６に戻る入力のためのチャネルとしても機能する。
【図１Ａ】
2020524564.tif 000003
【図１Ｂ】
2020524564.tif 000004
【図２Ａ】
2020524564.tif 000005
【図２Ｂ】
2020524564.tif 000006
【図３Ａ】
2020524564.tif 000007
【図３Ｂ】
2020524564.tif 000008
【図３Ｃ】
2020524564.tif 000009
【図３Ｄ】
2020524564.tif 000010
【図４Ａ】
2020524564.tif 000011
【図４Ｂ】
2020524564.tif 000012
【図５】
2020524564.tif 000013
【図６】
2020524564.tif 000014
【図７】
2020524564.tif 000015
【図８】
2020524564.tif 000016
【国際調査報告】
2020524564.tif 000017
2020524564.tif 000018